(57)【特許請求の範囲】
【請求項１】
瓦、またはスレート瓦である屋根葺材に比べて軟質で復元力が強い野地板上に配置される前記屋根葺材に太陽電池パネルを取り付けるための固定具であって、
前記野地板に螺合する雄ねじ部と、
前記雄ねじ部の先端に配置され、前記屋根葺材、および、前記野地板に孔を開ける刃である切削部と、
前記雄ねじ部の外周に配置され、前記屋根葺材との動摩擦により軟化して前記切削部により孔が開けられた前記屋根葺材と前記雄ねじ部との間を通って流れ落ち、前記屋根葺材と前記野地板との間の空間に滞留し、前記動摩擦が終了した後に再硬化するシーリング材からなる封止部と、
前記雄ねじ部の基端部側に配置され、前記太陽電池パネルと係合して前記太陽電池パネルを固定する前記雄ねじ部よりも大径の頭部と
を備える固定具。
【請求項２】
前記切削部の外径は、前記雄ねじ部の外径よりも小さい
請求項１に記載の固定具。
【請求項３】
瓦、またはスレート瓦である屋根葺材に比べて軟質で復元力が強い野地板上に配置される前記屋根葺材に太陽電池パネルを取り付けるための固定具であって、
底部を有する器形状の器部と、
前記器部の前記底部を貫通する挿入孔と、
前記器部に充填状態で配置され、前記挿入孔に刺し通され、前記屋根葺材に孔を開ける刃である切削部を雄ねじ部の先端に有するねじ部材と前記屋根葺材との動摩擦により軟化して前記切削部により孔が開けられた前記屋根葺材と前記雄ねじ部との間を通って流れ落ち、前記屋根葺材と前記野地板との間の空間に滞留し、前記動摩擦が終了した後に再硬化するシーリング材からなる封止部と
を備える固定具。
【請求項４】
前記シーリング材は、第一材と第二材とを含み、前記動摩擦による熱、および、前記動摩擦による圧力の少なくとも一方に基づき前記第一材と前記第二材とが反応することにより軟化する
請求項１〜３のいずれか１項に記載の固定具。
【請求項５】
前記第二材は袋体に封入されており、前記動摩擦による熱、および、前記動摩擦による圧力の少なくとも一方に基づき前記袋体が破壊され前記第一材と前記第二材とが反応する請求項４に記載の固定具。
【発明の詳細な説明】
【技術分野】
【０００１】
本発明は、太陽電池パネルを屋根に取り付けるための固定具に関する。
【背景技術】
【０００２】
一般的な木造建築の場合、屋根の部分には野地板と称される木製の板が敷き詰められており、その表面に防水用の下葺材が取り付けられている。そして、下葺材の上にスレート瓦などの屋根葺材が配置されている。以上のような構造の木造建築において屋根に太陽電池パネルを取り付ける場合、屋根葺材にドリルで下孔を開け、木ねじをねじ込んだり釘を打ち付けるなどして太陽電池パネルを固定している。
【０００３】
このような場合、屋根葺材に貫通孔が形成され下葺材にも孔が開けられるため、雨水などが当該貫通孔を通って野地板に到達することを防止する必要がある。これは、雨水により野地板が腐ることによって、太陽電池パネルの固定が脆弱化することを防止するためである。
【０００４】
従来の工法では、防水性を確保するため、屋根葺材に下孔を設けた後、シーリング材を下孔に充填するように塗布し、その後ねじをねじ込むなどをしていた。
【０００５】
また、特許文献１には、屋根葺材に設けられた下孔の開口部およびその周縁に硬化前のシーリング材を塊状に盛り付けて塗布し、前記下孔にねじを刺し入れる際にシーリング材をねじの先端に付着させてねじと野地板との間をシーリングする技術が記載されている。
【先行技術文献】
【特許文献】
【０００６】
【特許文献１】国際公開第２０１２／０９６３４４号
【発明の概要】
【発明が解決しようとする課題】
【０００７】
ところが、従来の工法では、屋根葺材に下孔を設け、下孔にシーリング材を注入するなどの工程が必要となる。また、このような工程は、屋根の上で行われるものであり、屋根葺材に下孔を設けるためのドリルや、シーリング材を注入するためのシーリングガンなどを屋根に持ち上げる必要もある。これらのため、太陽電池パネルを屋根に取り付けるための簡略化可能な工法が求められている。
【課題を解決するための手段】
【０００８】
本発明の一態様に係る固定具は、野地板上に配置される屋根葺材に太陽電池パネルを取り付けるための固定具であって、前記野地板に螺合する雄ねじ部と、前記雄ねじ部の先端に配置され、前記屋根葺材、および、前記野地板に孔を開ける切削部と、前記雄ねじ部の外周に配置され、前記屋根葺材との動摩擦により軟化し、前記動摩擦が終了した後に再硬化するシーリング材からなる封止部と、前記雄ねじ部の基端部側に配置され、前記太陽電池パネルと係合して前記太陽電池パネルを固定する前記雄ねじ部よりも大径の頭部とを備える。
【０００９】
また、本発明の他の一態様に係る固定具は、野地板上に配置される屋根葺材に太陽電池パネルを取り付けるための固定具であって、底部を有する器形状の器部と、前記器部の前記底部を貫通する挿入孔と、前記器部に充填状態で配置され、前記屋根葺材、および、前記野地板の少なくとも一方と、前記挿入孔に刺し通されたねじ部材との動摩擦により軟化し、前記動摩擦が終了した後に再硬化するシーリング材からなる封止部とを備える。
【発明の効果】
【００１０】
本発明によれば、屋根に太陽電池パネルを取り付けるための工程のうち、下孔を開ける工程、および、シーリング材を塗布する工程を省略することが可能となる。
【図面の簡単な説明】
【００１１】
【図１】図１は、実施の形態に係るドリルねじを示す側面図である。
【図２】図２は、実施の形態に係る屋根上に取り付けられた太陽電池パネルを示す斜視図である。
【図３】図３は、実施の形態に係る太陽電池パネルの一部を切り欠いた状態で取り付け部分を示す斜視図である。
【図４】図４は、実施の形態に係る太陽電池パネルを取り付けるための取付具をドリルねじにより屋根に取り付けた状態を示す断面図である。
【図５】図５は、実施の形態に係る取付具をドリルねじにより屋根葺材に取り付ける状態を示す斜視図である。
【図６】図６は、他の実施の形態に係る金具を下方から示す斜視図である。
【図７】図７は、他の実施の形態に係る金具を断面で示す側方図である。
【図８】図８は、他の実施の形態に係る取付具を金具を介してねじ部材により屋根葺材に取り付ける状態を示す斜視図である。
【発明を実施するための形態】
【００１２】
以下では、本発明の実施の形態に係る固定具について、図面を用いて詳細に説明する。なお、以下に説明する実施の形態は、いずれも本発明の好ましい一具体例を示すものである。従って、以下の実施の形態で示される数値、形状、材料、構成要素、構成要素の配置及び接続形態等は、一例であり、本発明を限定する趣旨ではない。よって、以下の実施の形態における構成要素のうち、本発明の最上位概念を示す独立請求項に記載されていない構成要素については、任意の構成要素として説明される。
【００１３】
また、各図は、模式図であり、必ずしも厳密に図示されたものではない。また、各図において、同じ構成部材については同じ符号を付している。
【００１４】
（実施の形態１）
以下、太陽電池パネルを屋根葺材に取り付けるための固定具の実施の形態の一つであるドリルねじについて、図面を用いて説明する。
【００１５】
［ドリルねじの構成］
図１は、ドリルねじを示す側面図である。
【００１６】
同図に示すように、ドリルねじ１００は、雄ねじ部１０１と、切削部１０２と、封止部１０３と、頭部１０４とを備えている。また、本実施の形態の場合、ドリルねじ１００は、パッキン付座金１０５を備えている。
【００１７】
雄ねじ部１０１は、野地板に螺合する部分である。本実施の形態の場合、雄ねじ部１０１はタッピングねじとして機能している。具体的には、電動工具などでドリルねじ１００を回転させることで、雄ねじ部１０１が通過することができる大きさの孔を屋根葺材に設けることができる。さらに、雄ねじ部１０１と野地板とがかみ合うことで、野地板に雌ねじを形成しながら野地板の奥に進入していくことができるものとなっている。
【００１８】
切削部１０２は、雄ねじ部１０１の先端に配置される刃の部分であり、ドリルねじ１００を電動工具などにより回転させることで、切削部１０２がドリルのように屋根葺材や野地板に孔を開けることができる部分である。切削部１０２の存在により、予め屋根葺材にドリルなどを用いて下孔を開けることなく、屋根葺材に孔を開けながら雄ねじ部でタッピングを行い、一度の工程で屋根葺材を貫通して野地板にドリルねじ１００をねじ込むことが可能となる。
【００１９】
本実施の形態の場合、切削部１０２の外径、すなわち切削部１０２の最大部分の外径（呼び径）は、雄ねじ部１０１の外径（呼び径）よりも小さいものとなっている。
【００２０】
これにより、切削部１０２で屋根葺材に設けた孔に対し雄ねじ部１０１が強く擦れながらタッピングを行うため、動摩擦による高い熱、および、高い圧力の少なくとも一方を発生させることができ、後述の封止部１０３を形成しているシーリング材の軟化を促進させることが可能となる。
【００２１】
一例として、雄ねじ部１０１の外形（呼び径）が５ｍｍ〜６ｍｍ、切削部１０２の外形（呼び径）が３ｍｍ〜５ｍｍのドリルねじ１００を例示することができる。
【００２２】
封止部１０３は、雄ねじ部１０１の外周に配置される円筒状の部材であり、ドリルねじ１００の使用前では固形となっている。
【００２３】
封止部１０３を構成するシーリング材は、通常状態では固形であり、熱、および、圧力の少なくとも一方が与えられることにより軟化し、再度硬化するものであれば特に限定されるものではない。例えば、熱によってこのように状態が変化するものとして熱可塑性樹脂を挙示することができる。具体的に熱可塑性樹脂としては、ポリエチレン、ポリプロピレン、ポリスチレン、ポリ塩化ビニルなどビニル系ポリマー、ポリエステル、ポリアミドなどの縮合系ポリマーなどの線状ポリマー、フッ素樹脂などを挙示することができる。
【００２４】
また、シーリング材は、第一材と第二材とを含み、太陽電池パネルを取り付ける際に発生する動摩擦による熱、および、圧力の少なくとも一方に基づき第一材と第二材とが反応することにより軟化するものでもかまわない。
【００２５】
さらに、前記第二材は袋体に封入されており、ドリルねじ１００で屋根葺材に孔を開け、ドリルねじ１００を野地板にねじ込む際に発生する動摩擦による熱、および、圧力の少なくとも一方に基づき前記袋体が破壊され前記第一材と前記第二材とが反応することにより軟化するものでもよい。
【００２６】
例えば、シーリング材を構成する第一剤は、基剤となる樹脂である。一方、袋体に封入されている第二剤は、第一剤を軟化させる溶剤である。第二材を収容する袋体は微小なカプセル状であり第一剤に分散状態で配置されている。このようなシーリング材を例示することができる。
【００２７】
頭部１０４は、雄ねじ部１０１の基端部側に配置され、太陽電池パネルと係合して太陽電池パネルを固定する部分であり、雄ねじ部１０１よりも大径となっている。本実施の形態の場合、頭部１０４は、ドリルねじ１００の基端部に配置され、雄ねじ部１０１と頭部１０４との間にはねじが刻まれていないシャフト部１１１が配置されている。
【００２８】
また、本実施の形態の場合、頭部１０４は、電動工具に保持可能な６角形状となっているが、頭部１０４の形状は特に限定されるものではない。頭部１０４の形状としては、６角穴や、プラスドライバーやマイナスドライバーと係合する溝を備えたモノなど例示することができる。
【００２９】
パッキン付座金１０５は、例えば円環状の金属製の座金と、円環状のゴム製のパッキンとが層状に配置された部材であり、ドリルねじ１００に刺し通された状態で、頭部１０４と係合するものとなっている。
【００３０】
［被取り付け部材］
次に、固定具であるドリルねじ１００を用いて取り付けられる被取り付け部材について説明する。
【００３１】
図２は、屋根上に取り付けられた太陽電池パネルを示す斜視図である。
【００３２】
図３は、太陽電池パネルの一部を切り欠いた状態で取り付け部分を示す斜視図である。
【００３３】
なお、図中に示す太陽電池パネルなどは簡易的に示したものであり、実際の形状を示すものではない。
【００３４】
これらの図に示すように、太陽電池パネル２００は、木造の家屋３００の屋根に取り付けられ、太陽光に基づき発電を行う装置であって、取付具２０２を介してドリルねじ１００によって家屋３００の屋根に固定されている。
【００３５】
家屋３００は、屋根に屋根葺材３０１が設けられた一般的な建屋であり、本実施の形態の場合、屋根葺材３０１としてスレート瓦が採用されている。なお、屋根葺材３０１の種類は、スレート瓦に限定されるものではなく、瓦やガルバリウム鋼板など任意の部材を採用することができる。
【００３６】
太陽電池パネル２００は、受光した太陽光に基づき電力を発生させるパネル状の太陽電池である。具体的に例えば太陽電池パネル２００は、半導体で構成された太陽電池セルがマトリクス状に配置され、このセルアレイを樹脂やガラスにより挟み込んで板状にしたものである。
【００３７】
取付具２０２は、図３に示すように、ドリルねじ１００により屋根葺材３０１上に固定され、太陽電池パネル２００を取り付けレール２０４を介して屋根葺材３０１上に取り付けるための部材である。本実施の形態の場合、取付具２０２は、簡易的に示しているが、形状や構造などは特に限定されるものではなく、取り付ける太陽電池パネル２００の種類などにより任意に選定することができる。
【００３８】
図４は、太陽電池パネルを取り付けるための取付具をドリルねじにより屋根に取り付けた状態を示す断面図である。
【００３９】
同図に示すように、ドリルねじ１００は、防水用の下葺材３０２で覆われる野地板３０３上に配置される屋根葺材３０１に太陽電池パネル２００を取り付けるための取付具２０２を固定している。
【００４０】
一般的に屋根葺材３０１は、一部を重ね合わせながら下から上へ順に並べて配置するものであり、２枚重ねの部分と３枚重ねの部分が存在するが、図４に示すように、２枚重ねの部分に取付具２０２を取り付けることが推奨されている。また、野地板３０３と屋根葺材３０１との間には傾斜した隙間（空間）が発生している。
【００４１】
ここで、野地板３０３とは、屋根に屋根葺材３０１を葺くための下地となる木製の板であり、垂木の上に張る板である。
【００４２】
また、下葺材３０２とは、ルーフィングなどとも称される部材であり、屋根葺材の施工に先立ち、防水を目的に野地板３０３に貼るシート状の部材である。下葺材３０２の種類は特に限定されるものではないが、アスファルトルーフィング（フェルト状の原紙にアスファルトを浸透・被覆し、表裏面に鋼物質粉末を付着させたもの）、改質アスファルト系、ブチルゴム系のものなどを例示することができる。
【００４３】
［取り付け方法］
図５は、取付具をドリルねじにより屋根葺材に取り付ける状態を示す斜視図である。
【００４４】
まず、雄ねじ部１０１の周囲に固体状の封止部１０３が取り付けられた使用前のドリルねじ１００を準備する。
【００４５】
ここで使用前とは、ドリルねじ１００が屋根葺材３０１などとの間で動摩擦が発生しておらず、封止部１０３が一度も軟化していない状態を意味している。また、使用前の状態においては、ドリルねじ１００が保管される際の温度や、運搬されている際の振動などによっては、封止部１０３は軟化せず個体の状態で維持されるものとなっている。
【００４６】
次に、ドリルねじ１００の頭部１０４を電動工具などに取り付けて封止部１０３を含むドリルねじ１００全体を回転させ、取付具２０２に予め開けられている貫通孔２０３を通して屋根葺材３０１の所定の位置にドリルねじ１００の切削部１０２の先端を当てる。これにより屋根葺材３０１に孔が開けられていく。なお、取付具２０２の貫通孔２０３はドリルねじ１００の外形に対して十分大きく、取付具２０２とドリルねじ１００との間ではほとんど動摩擦は発生しない。
【００４７】
次に、切削部１０２により屋根葺材３０１を掘り進めていくと、雄ねじ部１０１と屋根葺材３０１とが接触し、雄ねじ部１０１が屋根葺材３０１をタッピングしながらドリルねじ１００はさらに進んでいく。
【００４８】
ここで、切削部１０２の外形は雄ねじ部１０１の外形よりも小さいため、切削部１０２により設けられた孔に対し雄ねじ部１０１が強く擦れる。この際に発生する動摩擦による温度、および、圧力の少なくとも一方により封止部１０３の軟化が始まる。
【００４９】
次に、切削部１０２が屋根葺材３０１を貫通し、下葺材３０２（図４参照）に到達すると、切削部１０２は下葺材３０２を貫通し、さらに野地板３０３に孔を開けていく。
【００５０】
ここで、軟化した封止部１０３は、孔が開けられた屋根葺材３０１とドリルねじ１００との間を通って、屋根葺材３０１と野地板３０３との間の空間においてドリルねじ１００に沿いながら流れ落ちていく。これは、屋根葺材３０１が比較的硬質の部材であり、雄ねじ部１０１にタッピングされることにより屋根葺材３０１と雄ねじ部１０１との間に僅かな隙間が発生し、この隙間が維持されるためである。
【００５１】
次に、雄ねじ部１０１が野地板３０３に到達すると、雄ねじ部１０１が野地板３０３をタッピングしながら奥に進んでいく。
【００５２】
一方、軟化した封止部１０３は、ドリルねじ１００が野地板３０３の奥に進んでもドリルねじ１００と野地板３０３との間には進入せず、屋根葺材３０１と野地板３０３との間の空間に滞留する。これは、野地板３０３は木材で形成されており、屋根葺材３０１に比べて軟質で復元力が強いため、野地板３０３に雄ねじ部１０１が進入すると、野地板３０３が雄ねじ部１０１にしっかりと食い込み、野地板３０３と雄ねじ部１０１との間に軟化した封止部１０３が進入する隙間が発生しないことに基づく。なお、当該知見は発明者によりはじめて見出されたものである。
【００５３】
次に、野地板３０３に雄ねじ部１０１が所定長さねじ込まれると、頭部１０４によって取付具２０２が屋根葺材３０１に押さえられた状態で屋根葺材３０１の表面に取付具２０２が取り付けられる。
【００５４】
一方、下葺材３０２とドリルねじ１００との間は、軟化した封止部１０３により封止される。なお、下葺材３０２は、雄ねじ部１０１がねじ込まれる際にめくれ上がる場合があるが、封止部１０３は、めくれ上がった下葺材３０２の部分を覆うようにしてドリルねじ１００と下葺材３０２との間を封止する。
【００５５】
また、所定の時間経過すると軟化した封止部１０３は再硬化し、これにより、ドリルねじ１００がねじ込まれた野地板３０３の周囲の防水性を高い状態で維持することができる。
【００５６】
次に、屋根葺材３０１上に取り付けられた取付具２０２を用い、太陽電池パネル２００のフレームなどを取付具２０２に保持させることで、太陽電池パネル２００が家屋３００の屋根に取り付けられる。
【００５７】
以上のように、ドリルねじ１００を用いることで、屋根葺材３０１に下孔を設けることなく、また、別途シーリング材を下孔に塗布することなく、一つの工程で取付具２０２を屋根葺材３０１に取り付け、さらに、ドリルねじ１００がねじ込まれた部分の防水性を確保することが可能となる。従って、太陽電池パネル２００を家屋３００の屋根に取り付ける際の施工の手間を減少させることが可能となる。
【００５８】
また、本実施の形態の場合、図４に示す様に、パッキン付座金１０５により、取付具２０２の貫通孔２０３の上端部を封止するため、ドリルねじ１００の頭部１０４から貫通孔２０３へ水が浸入することを可及的に抑制することが可能となり、さらに防水性能を高めることが可能となる。
【００５９】
（実施の形態２）
続いて、太陽電池パネルを屋根葺材に取り付けるための固定具の他の実施の形態の一つである金具について、図面を用いて説明する。なお、前記実施の形態１と同様の作用や機能、同様の形状や機構や構造を有するもの（部分）には同じ符号を付して説明を省略する場合がある。また、以下では実施の形態１と異なる点を中心に説明し、同じ内容については説明を省略する場合がある。
【００６０】
［金具の構成］
図６は、金具を下方から示す斜視図である。
【００６１】
図７は、金具を断面で示す側方図である。
【００６２】
これらの図に示すように、金具１９０は、鉄などの金属からなる座金であり、器部１９１と、挿入孔１９２と、封止部１０３とを備えている。また本実施の形態の場合、金具１９０は、フランジ部１９３を備えている。
【００６３】
器部１９１は、板状の底部１９４を有する器形状の部分である。
【００６４】
挿入孔１９２は、底部１９４の中央部分に底部１９４の厚さ方向に貫通する孔である。
【００６５】
フランジ部１９３は、底部１９４とは反対側の器部１９１の端縁から外方に向かって拡がった板状の部分である。
【００６６】
これら、底部１９４、器部１９１、挿入孔１９２、および、フランジ部１９３は、一枚の板金からプレス加工により形成される。
【００６７】
封止部１０３は、器部１９１の内方に充填状態され、屋根葺材、および、野地板の少なくとも一方と、挿入孔に刺し通されたねじ部材（後述）との動摩擦により軟化し、前記動摩擦が終了した後に再硬化するシーリング材からなる部材である。なお、封止部１０３を構成するシーリング材の種類などは上記と同様である。
【００６８】
［取り付け方法］
図８は、取付具を金具を介してねじ部材により屋根葺材に取り付ける状態を示す斜視図である。
【００６９】
まず、使用前の金具１９０、および、ねじ部材２９０を準備する。
【００７０】
本実施の形態の場合、ねじ部材２９０は、金具１９０の挿入孔１９２に刺し通されて野地板３０３に螺合する雄ねじ部２９１と、雄ねじ部２９１の先端に配置される刃の部分である切削部２９２と、雄ねじ部２９１の基端部側に配置され、金具１９０の底部１９４と係合する頭部２９４とを備えている。また、切削部２９２の外径（呼び径）は、雄ねじ部２９１の外径（呼び径）よりも小さいものとなっている。
【００７１】
ここで使用前とは、金具１９０の挿入孔１９２に刺し通されたねじ部材２９０が屋根葺材３０１などとの間で動摩擦が発生していない状態、つまり、封止部１０３が一度も軟化していない状態を意味している。また、使用前の状態においては、金具１９０が保管される際の温度や、運搬されている際の振動などによっては、封止部１０３は軟化せず個体の状態で維持されるものとなっている。
【００７２】
次に、金具１９０のフランジ部１９３を取付具２０２の表面に当接させ、金具１９０の挿入孔１９２と取付具２０２の貫通孔２０３とが同軸となるように配置する。そして、ねじ部材２９０の頭部２９４を電動工具などに取り付けて回転させ、金具１９０の底部１９４に設けられた挿入孔１９２に刺し通し、屋根葺材３０１の所定の位置にねじ部材２９０の切削部２９２の先端を当てる。これにより屋根葺材３０１に孔が開けられていく。
【００７３】
次に、切削部２９２により屋根葺材３０１を掘り進めていくと、雄ねじ部２９１と屋根葺材３０１とが接触し、雄ねじ部２９１が屋根葺材３０１をタッピングしながらねじ部材２９０はさらに進んでいく。
【００７４】
ここで、切削部２９２の外形は雄ねじ部２９１の外形よりも小さいため、切削部２９２により設けられた孔に対し雄ねじ部２９１が強く擦れる。この際に発生する動摩擦による温度、および、圧力の少なくとも一方により金具１９０の器部１９１に充填された封止部１０３の軟化が始まる。
【００７５】
次に、切削部２９２が屋根葺材３０１を貫通し、下葺材３０２に到達すると、切削部２９２は下葺材３０２を貫通し、さらに野地板３０３に孔を開けていく。
【００７６】
ここで、軟化した封止部１０３は、孔が開けられた屋根葺材３０１とねじ部材２９０との間を通って、屋根葺材３０１と野地板３０３との間の空間に流れ落ちていく。
【００７７】
次に、雄ねじ部２９１が野地板３０３に到達すると、雄ねじ部２９１が野地板３０３をタッピングしながら奥に進んでいく。
【００７８】
一方、軟化した封止部１０３は、ねじ部材２９０が野地板３０３の奥に進んでもねじ部材２９０と野地板３０３との間には進入せず、屋根葺材３０１と野地板３０３との間の空間に滞留する。
【００７９】
次に、野地板３０３に雄ねじ部２９１が所定長さねじ込まれると、ねじ部材２９０の頭部２９４が金具１９０を介して取付具２０２を屋根葺材３０１に押しつけた状態となる。
【００８０】
一方、下葺材３０２とねじ部材２９０との間は、軟化した封止部１０３により封止される。
【００８１】
また、封止部１０３は、ねじ部材２９０と屋根葺材３０１との間、特に雄ねじ部２９１の谷の部分と屋根葺材３０１との間も封止する（図示省略）。これにより、屋根葺材３０１に貫通状に配置されるねじ部材２９０と屋根葺材３０１との間に水が染み込むことを抑制でき、野地板３０３への水の浸入を効果的に抑制することが可能となる。
【００８２】
所定の時間経過すると軟化した封止部１０３は再硬化し、これにより、ねじ部材２９０がねじ込まれた野地板３０３の周囲の防水性を高めることができる。
【００８３】
次に、屋根葺材３０１上に取り付けられた取付具２０２を用い、太陽電池パネル２００のフレームなどを取付具２０２に保持させることで、太陽電池パネル２００が家屋３００の屋根に取り付けられる。
【００８４】
本実施の形態のように、封止部１０３を器部１９１の内方に備えた金具１９０を用いることで、一般的なねじ部材２９０を用いた場合でも屋根葺材３０１に下孔を設けることなく、また、別途シーリング材を下孔に塗布することなく、一つの工程で取付具２０２を屋根葺材３０１に取り付け、さらに、ドリルねじ１００がねじ込まれた部分の防水性を確保することが可能となる。従って、太陽電池パネル２００を家屋３００の屋根に取り付ける際の施工の手間を減少させることが可能となる。
【００８５】
また、ねじ部材２９０が屋根葺材３０１に孔を開ける際に発生する粉塵が、器部１９１の内方に止まるため、別途粉塵の除去を行う工程を排除することが可能となる。従って、さらに効率的に太陽電池パネル２００を取り付けることが可能となる。
【００８６】
なお、本発明は、上記実施の形態に限定されるものではない。例えば、本明細書において記載した構成要素を任意に組み合わせて、また、構成要素のいくつかを除外して実現される別の実施の形態を本発明の実施の形態としてもよい。また、上記実施の形態に対して本発明の主旨、すなわち、請求の範囲に記載される文言が示す意味を逸脱しない範囲で当業者が思いつく各種変形を施して得られる変形例も本発明に含まれる。
【００８７】
例えば、シャフト部１１１を備えるドリルねじ１００を例示したが、ドリルねじ１００は、これに限定されるものではない。
【００８８】
また、ドリルねじ１００は、切削部１０２の外形と雄ねじ部１０１の外形とが同じであってもかまわない。
【００８９】
また、器部１９１に封止部１０３が充填されていない金具１９０を用い、ねじ部材２９０で太陽電池パネル２００を屋根葺材３０１に取り付ける直前に器部１９１にシーリング材を注入してもかまわない。
【符号の説明】
【００９０】
１０１  雄ねじ部
１０２  切削部
１０３  封止部
１０４  頭部
１９０  金具
１９１  器部
１９２  挿入孔
１９４  底部
２００  太陽電池パネル
３０１  屋根葺材
３０３  野地板
【図１】
0006751895.tif 000002
【図２】
0006751895.tif 000003
【図３】
0006751895.tif 000004
【図４】
0006751895.tif 000005
【図５】
0006751895.tif 000006
【図６】
0006751895.tif 000007
【図７】
0006751895.tif 000008
【図８】
0006751895.tif 000009